(57)【要約】【課題】専用の保持機材等を用意することなく、容易に好適な位置へビューファインダーを固定可能な撮像装置を提供すること。【解決手段】撮像装置は、ビューファインダーと、ビューファインダーに取り付け可能なアーム部と、アーム部に取り付けられ、回転かつ並進移動するためのスライダー部を有しており、スライダー部に取り付けられた回転軸部は、固定用の雌ねじ穴を有している。【選択図】図６
2017125984.tif 000002
【特許請求の範囲】
【請求項１】
ビューファインダーと、前記ビューファインダーに取り付け可能なアーム部と、前記アーム部に取り付けられ、回転かつ並進移動するためのスライダー部を有する撮像装置において、
前記スライダー部に取り付けられた回転軸部は、固定用の雌ねじ穴を有することを特徴とする撮像装置。
【請求項２】
前記回転軸部を前記スライダー部へ固定するための留めビスが、前記回転軸部の回転軸が配されていない側に配置されていることを特徴とする請求項１に記載の撮像装置。
【請求項３】
前記回転軸部の回転軸と前記固定用の雌ねじ穴の中心軸は同一であることを特徴とする請求項１又は請求項２に記載の撮像装置。
【請求項４】
前記固定用の雌ねじ穴はカメラ三脚用の１／４インチねじ穴やその他各種雌ねじ穴であることを特徴とする請求項１乃至請求項３の何れか一項に記載の撮像装置。
【発明の詳細な説明】
【技術分野】
【０００１】
本発明は、撮像装置の固定方法に関する。
【背景技術】
【０００２】
映画撮影現場や放送局にて使用される業務用の撮像装置として、被写体を撮影して映像信号を生成するカメラ本体と、カメラ本体に装着され映像信号に基づいて映像を表示するビューファインダー装置とを備えるものがある。
【０００３】
このような撮像装置では、多くの場合、撮影者の立ち位置や姿勢、被写体の状況に応じてビューファインダー装置の表示面を視認しやすくするために、ビューファインダー装置を例えば一軸回りに回転可能にし固定する回転機構や、光軸方向などにビューファインダーを平行移動可能にし固定するスライド機構が用いられている。
【０００４】
また、ここで、特許文献１に示したように、カメラ本体の好適な位置に三脚取り付け用ねじを配置した例がある。これにより、操作性に影響することなくカメラ本体を固定する方法が紹介されている。
【先行技術文献】
【特許文献】
【０００５】
【特許文献１】特開平９−２１８４４５号公報
【発明の概要】
【発明が解決しようとする課題】
【０００６】
ここで、ビューファインダーなどの周辺機器を好適な位置に固定する方法としては、従来は、前述した回転機構やスライド機構を含む専用の保持機材が必要であった。
【０００７】
しかしながら、専用となってしまうため他の撮像装置に対しては容易には位置固定できないといった課題があった。
【０００８】
そこで、本発明の目的は、上記課題を鑑み、専用の保持機材等を用意することなく、容易に好適な位置へビューファインダーを固定可能な撮像装置を提供することにある。
【課題を解決するための手段】
【０００９】
上記の目的を達成するために、本発明に係る撮像装置は、
ビューファインダーと、前記ビューファインダーに取り付け可能なアーム部と、前記アーム部に取り付けられ、回転かつ並進移動するためのスライダー部を有する撮像装置において、前記スライダー部に取り付けられた回転軸部は、固定用の雌ねじ穴を有することを特徴とする。
また、本発明に係る撮像装置は、前記回転軸部を前記スライダー部へ固定するための留めビスが、前記回転軸部の回転軸が配されていない側に配置されていることを特徴とする。
また、本発明に係る撮像装置は、前記回転軸部の回転軸と前記固定用の雌ねじ穴の中心軸は略同一であることを特徴とする。
また、本発明に係る撮像装置は、前記固定用の雌ねじ穴はカメラ三脚用の１／４インチねじ穴やその他各種雌ねじ穴であることを特徴とする。
【発明の効果】
【００１０】
本発明に係る撮像装置によれば、専用の保持機材等を用意することなく、容易に好適な位置へビューファインダーを固定することができる。
【図面の簡単な説明】
【００１１】
【図１】本発明の実施例におけるビューファインダー装置と、支持機構の構成を示す概略の分解斜視図
【図２】本発明の実施例における支持機構のアーム部におけるスライダー側の回転機構を説明するための分解斜視図
【図３】本発明の実施例における支持機構を専用保持機材へ取り付ける場合の分解斜視図
【図４】本発明の実施例におけるビューファインダー装置が取り付いた専用保持機材を撮像装置へ取り付ける場合の外観図
【図５】本発明の実施例における支持機構の外観図
【図６】本発明の実施例における支持機構の断面図
【図７】本発明の実施例における、ビューファインダー装置が取り付いた支持機構をノガアームを用いて撮像装置へ取り付ける場合の分解斜視図
【発明を実施するための形態】
【００１２】
以下、本発明を実施するための形態を図面に基づいて説明する。
【００１３】
（ビューファインダーと支持機構の取り付けに関する説明）
図１は本実施例のビューファインダー装置１００と、支持機構３００の構成を示す概略の分解斜視図である。
【００１４】
支持機構３００は、ビューファインダーに取り付け可能なアーム部３０３とアーム部に取り付けられ、回転かつ並進移動するためのスライダー部３０１で構成されている。
【００１５】
ここで、ビューファインダー装置１００は回転機構固定部１００ａを有し、アーム部３０３のビューファインダー側取り付け部３０７は図示しないビス締めなどによってビューファインダー装置１００の回転機構固定部１００ａと回転可能に固定されている。ビューファインダー側取り付け部３０７には、ビューファインダー側ロック用操作部材３０６が設けられている。本実施例においては、ビューファインダー側ロック用操作部材３０６は回転軸Ａまわりに回転可能に構成されており、一方向に回転することで回転軸Ａ周りの回転をロックし、他方に回転することで、該ロックを解除する構造となっている。なお、該ロックの構造については公知の技術のため、説明は省略する。
【００１６】
（支持機構における回転機構に関する説明）
図２は支持機構３００のアーム部３０３におけるスライダー側の回転機構を説明するための分解斜視図である。
【００１７】
図２において、３０１はスライダー部、３０２はスライダー部に取り付けられた回転軸部、３０４は回転摩擦機構、３０３はアーム部である。
【００１８】
ここで、回転機構に関しては公知のため割愛するが、回転摩擦機構３０４により、アーム部３０３はスライダー部３０１に対して回転可能であり、これにより支持機構３００は回転移動可能な構造体となる。そして、スライダー側ロック用操作部材３０８は回転軸Ｂまわりに回転可能に構成されており、一方向に回転することで回転軸Ｂ周りの回転をロックし、他方に回転することで、該ロックを解除する構造となっている。
【００１９】
（ビューファインダー装置を専用保持機材を介して撮像装置へ取り付ける場合の説明）
図３は支持機構３００を専用保持機材２００へ取り付ける場合の分解斜視図であり、図４はビューファインダー装置１００が取り付いた専用保持機材２００を撮像装置１０１へ取り付けた場合の外観図である。
【００２０】
図３、図４において、１００はビューファインダー装置、１０１は撮像装置、３００は支持機構、２００は専用保持機材、２０１は取り付けレール、２０２は取り付けレール２０１を撮像装置１０１へ取り付けるための本体着脱部である。
【００２１】
ここで、図３に示した通り、スライダー部３０１の断面と取り付けレール２０１の断面は略同一形状となっており、取り付けレール２０１内をスライダー部３０１が平行移動する構造となっている。よって、撮像装置１０１に取り付けられた専用保持機材２００を介して、支持機構３００は、前述した回転方向のみならず、並進方向へも移動可能となる。また、ここでは、支持機構３００は撮像装置に対する１方向の並進移動のみ説明したが、これと直交する方向の並進移動も同様であり、可能である。以上のことにより、ユーザーは、撮像装置に対して好適な位置へビューファインダーを固定することが可能となる。
【００２２】
（本発明に関わる支持機構のスライダー部と回転軸部に関する説明）
図５は支持機構３００の外観図、図６は図５のＡ−Ａ断面図であり、図７はビューファインダー装置１００が取り付いた支持機構３００をノガアーム１０２を用いて撮像装置１０１へ取り付ける場合の分解斜視図である。
【００２３】
ここで、１００はビューファインダー装置、１０１は撮像装置、１０２はノガアーム、３０１はスライダー部、３０２はスライダー部に取り付けられた回転軸部、３０４は回転摩擦機構、３０３はアーム部である。
【００２４】
図５、図６、図７で示した通り、スライダー部に取り付けられた回転軸部３０２には、雌ねじ穴３０２ａが配置されている。この穴は、例えば、図７で示した通り、支持機構３００をノガアーム１０２等の保持部材を使って撮像装置１０１へ固定するためのカメラ三脚用の１／４インチねじ穴である。この雌ねじ穴３０２ａが配されていることにより、図３に示したような専用の保持機材が無くても、図７に示した通り、汎用的なノガアーム等により支持機構３００を保持し、ユーザーは好適な位置へビューファインダーを容易に固定することが可能となる。
【００２５】
また、図５、図６における３０５は回転軸部３０２をスライダー部３０１へ固定するための留めビスである。ここで留めビス３０５は回転軸部３０２の回転軸とは反対側に配されている。これは留めビス３０５が回転軸部３０２の回転軸側に配されていると、組み立て作業上、ドライバーと回転軸が干渉してしまい、これを回避するため留めビスの位置が回転軸から離れ結果としてスライダー全体が大型化してしまうからである。よって、留めビス３０５を回転軸部３０２の回転軸とは反対側に配することで、スライダー全体の小型化に貢献している。
【００２６】
そして、図６で示した通り、回転軸部３０２の回転軸と固定用の雌ねじ穴３０２ａの中心軸は略同一である。これにより、ノガアーム等の汎用保持機材を雌ねじ穴３０２ａへ取り付けた場合、ノガアームの回転軸と支持機構３００の回転軸が略同一となり、ユーザーにとって固定作業上の操作性が向上するといった利点がある。
【００２７】
ここで、これまでの上記説明では、回転軸部３０２に配された固定用の雌ねじ穴３０２ａをカメラ三脚用の１／４インチねじと説明してきたが、その他各種雌ねじ穴でも適用され、この限りではない。
【符号の説明】
【００２８】
１００  ビューファインダー装置、１００ａ  回転機構固定部、１０１  撮像装置、
１０２  ノガアーム、２００  専用保持機材、２０１  取り付けレール、
２０２  本体着脱部、３００  支持機構、３０１  スライダー部、３０２  回転軸部、
３０２ａ  雌ねじ穴、３０３  アーム部、３０４  回転摩擦機構、３０５  留めビス、
３０６  ビューファインダー側ロック用操作部材、
３０７  ビューファインダー側取り付け部、
３０８  スライダー側ロック用操作部材
【図１】
2017125984.tif 000003
【図２】
2017125984.tif 000004
【図３】
2017125984.tif 000005
【図４】
2017125984.tif 000006
【図５】
2017125984.tif 000007
【図６】
2017125984.tif 000008
【図７】
2017125984.tif 000009